Podtech/llm-jp-corpus-v4-ja_patent huggingface dataset:
(57)【要約】      （修正有）【課題】外蓋を回転させるだけで振出量を調整することができる粉粒体振出容器を提供する。【解決手段】粉粒体振出容器は、粉粒体を収納する筒状の容器本体１と、大径振出口６及び小径振出口７を有すると共に容器本体１の上端開口部１ａに装着される中蓋５と、この中蓋５に被冠した外蓋２とを備える。外蓋２を回動させ、外蓋２に設けられた振出口４を中蓋５に設けた大径振出口６又は小径振出口７に連通させることにより、容器本体１内に収納された粉粒体ａを好適な量で振り出すことができる。【選択図】図３
0003199684.tif 000002
【実用新案登録請求の範囲】
【請求項１】
ａ．粉粒体を収納する筒状の容器本体と、
ｂ．前記容器本体内に収納された粉粒体を振り出すための大径及び小径振出口を側面に形成し、かつ前記容器本体の上端開口部に装着される着脱自在な中蓋と、
ｃ．前記中蓋の外に被冠し、前記振出口に連通させて容器本体内に収納された粉粒体を振り出す振出口を側面に形成した回動自在な外蓋と、
ｄ．からなる粉粒体振出容器。
【請求項２】
内容物である粉粒体は、にぼし粉であることを特徴とする請求項１に記載の粉粒体振出容器。
【考案の詳細な説明】
【技術分野】
【０００１】
本考案は、にぼし粉のような粉粒体を収容し、かつ振出量を調整することができる粉粒体振出容器に関する。
【背景技術】
【０００２】
従来、容器内の粉粒体を振り出す容器としては、容器の上面に複数の小さな振出し孔と、１つの大きな開口を設け、その振出し孔と開口とにそれぞれ開閉蓋を設けるか、容器に同様な構造の蓋を取り付けるようにしたものが公知となっている（実開平４−２７７５２号公報）。
【０００３】
しかし、この公知例の場合、容器の上面に複数の振出し孔と大きな開口を設けていることから、容器内の粉粒体を振り出す際に孔及び開口から同時に粉粒体が振り出されることがないようにするための開閉蓋を孔及び開口それぞれに設ける必要があり、調理等の最中に振り出す量を変えるためにはその都度一方の蓋を開け、他方の蓋を閉めなければないという不便があった。
【考案の概要】
【考案が解決しようとする課題】
【０００４】
本考案は、孔や開口に設けられた蓋の開閉を行うことなく、外蓋を回動させるだけで容器内の粉粒体の振出量の多少を選択し、振り出すことができる粉粒体振出容器を提供することを目的とする。
【課題を解決するための手段】
【０００５】
上記目的を達成するため、請求項１に記載の考案は、粉粒体振出容器であって、粉粒体を収納する筒状の容器本体と、前記容器本体内に収納された粉粒体を振り出すための大径及び小径振出口を側面に形成し、かつ前記容器本体の上端開口部に装着される着脱自在な中蓋と、前記中蓋の外に被冠し、前記振出口に連通させて容器本体内に収納された粉粒体を振り出す振出口を側面に形成した回動自在な外蓋と、からなることを特徴とする。
【０００６】
また、請求項２に記載の考案は、請求項１に記載の粉粒体振出容器であって、内容物である粉粒体はにぼし粉であることを特徴とする。
【考案の効果】
【０００７】
本考案によると、外蓋を回動させることにより、外蓋に設けられた振出口と中蓋に設けられた大径振出口とを連通させた場合には多量の粉粒体を振り出すことができ、また、外蓋に設けられた振出口と中蓋に設けられた小径振出口とを連通させた場合には少量の粉粒体を振り出すことができるため、用途あるいは好みに応じて振出容器内に収容された粉粒体を好適に振り出すことができる。
【図面の簡単な説明】
【０００８】
【図１】振出容器において、キャップ部分のラベルをミシン目から切りとっている状態の振出容器の説明図。
【図２】ラベルを切りとり、外蓋を露出させた状態の振出容器の説明図
【図３】振出容器の断面図
【図４】振出容器本体から中蓋及び外蓋を分離した状態の説明図
【図５】中蓋及び外蓋の分解説明図
【図６】振出容器から粉粒体を振り出している状態の説明図
【考案を実施するための形態】
【実施例】
【０００９】
以下、図１〜図６に基づいて本考案に係る粉粒体振出容器の詳細を説明する。
【００１０】
図１において、１は振出容器本体であって、この振出容器本体１は円筒状を呈している。
【００１１】
図２は、切り裂き用のミシン目８からラベルを切りとり、外蓋２の振出口４と大径振出口を露出させた状態の説明図である。
【００１２】
なお、本実施例において、ラベルの素材は紙であるが、紙に限定されず、プラスチックフィルム等手動で切り裂くことのできるものであれば、その他の素材でもよい。
【００１３】
また、容器本体１、外蓋２、中蓋５は金属製であるが、プラスチック又は内容物次第では防湿の紙管を用いることもできる。
【００１４】
符号の２は容器本体１の口部１ａに装着された外蓋であって、この外蓋２の側壁２ａには振出口４が設けられていると共に、外蓋２内には中蓋５が組み付けられ、この中蓋５の側壁であって、前記外蓋２の振出口４に対向する２ヶ所には大径振出口６と小径振出口７が設けられていると共に中蓋５の下縁５ｂは外蓋２の下端よりも突出して露出しており、この下縁５ｂが容器本体１の口部１ａに形成したカール部１ｂに嵌合している。
【００１５】
以上に説明した振出容器は、図６に示すように、外蓋２を回動させることにより振出口４を中蓋５に設けられた大径振出口６又は小径振出口７に連通させ、振出口４と大径振出口６を連通させた場合には多量の、また振出口４と小径振出口７を連通させた場合には少量の粉粒体ａを、振り掛けて使用することができる。
【００１６】
なお、上述した実施例では中蓋５に設けられている振出口６又は７は大径と小径の二種類のみであるが、用途に応じてこの振出口の数や形状は変化させてもよく、大径と小径に加えて極小径の振出口等を設けた構成としてもよい。
【符号の説明】
【００１７】
１  振出容器本体
２  外蓋
２ａ  外蓋の側壁
３  ラベル
４  振出口
５  中蓋
５ａ  中蓋の側壁
５ｂ  中蓋の下縁
６  大径振出口
７  小径振出口
８  切り裂き用ミシン目
【図１】
0003199684.tif 000003
【図２】
0003199684.tif 000004
【図３】
0003199684.tif 000005
【図４】
0003199684.tif 000006
【図５】
0003199684.tif 000007
【図６】
0003199684.tif 000008
(57)【要約】      （修正有）【課題】自宅に設置して、その中に先祖及び身内の骨壺を納骨できる簡易墓地を提供する。【解決方法】発泡スチロール製の本体と、その表面に石板、人口大理石板、木板、金属板を１種又は、２種以上を貼りつける。石板、人口大理石板、木板、金属板の厚さを１５ｍｍ以下、全体の高さ、幅、奥行きを８０ｃｍ以下とする。また、納骨櫃３は高さ４０ｃｍ以下として内部を壱階、又は、弐階建（先祖のお骨を合祭する場合）にして各階の納骨櫃３の高さは１７ｃｍ以下とする。納骨櫃３に納骨する骨壺は、丸型、四角型、六角型、その他の多角型とし、直径１３ｃｍ、高さ１５ｃｍ以下とする。さらに、ご先祖様の毎日のご供養の為、唱えるお念仏は、仏教各宗派の高僧による毎朝夕に唱える読経のテープとテープレコーダーを本体に設け、テープレコーダーの読経を聞くためのスピーカー２を本体の左右、側部に埋め込む様に設置する。【選択図】図１
0003199687.tif 000002
【実用新案登録請求の範囲】
【請求項１】
発泡スチロール製の本体と、その表面全体に石板、人口大理石板、木板、プラスチック板、金属板からなる板状部材を１種または２種以上を貼りつけた簡易墓石。
【請求項２】
石板、人口大理石板、木板、プラスチック板、金属板の厚さを１５ｍｍ以下とした請求項１に記載の簡易墓石。
【考案の詳細な説明】
【技術分野】
【０００１】
本考案は、家庭内に設置するお墓に関する。
【背景技術】
【０００２】
火葬した人骨を自宅に置くことは違法ではない。そこで、本提案は。先祖及び身内の骨壺を自宅の簡易墓地を設置し、その中に納骨すれば、お盆やお彼岸の交通混雑、天候、季節の寒暖に関わらずに自宅で先祖の供養や、お祭りができる提案である。
このような目的の発明には、特開２００１−１７３２７２号公報に開示された技術がある。
【先行技術文献】
【特許文献】
【０００３】
【特許文献１】特開２００１−１７３２７２号
【考案の概要】
【考案が解決しようとする課題】
【０００４】
先祖及び身内の骨壺を自宅の簡易墓石を設置し、その中に納骨すれば、お盆やお彼岸の交通混雑、天候、季節の寒暖に関わらずに自宅で先祖の供養や、お祭りができる。このような目的の発明には、特開２００１−１７３２７２号公報に開示された技術があるが、ここに開示された技術では、重量が大きくなり、室内設置には適さない。また、内部を空洞にする技術も開示されているが、製造方法が煩雑、かつ、高度の技術を必要とするため、勢い高価なものになる。
【課題を解決するための手段】
【０００５】
上記の課題を解決する第１の考案は、発泡スチロール製の本体と、その表面全体に石板、人工大理石板、木板、プラスチック板、金属板を１種又は、２種以上をは貼りつけた簡易墓石である。
また、第２の考案は、第１の考案において、石板、人工大理石板、木板、プラスチック板、金属板の厚さを１５ｍｍ以下とした簡易墓石である。
【考案の効果】
【０００６】
本考案の実施により、先祖及び身内の骨壺を自宅に簡易墓地を設置し、その中に納骨すれば、お盆やお彼岸の交通混雑、天候、季節の寒暖に関わらずに自宅で先祖の供養や、お祭りができる。また、屋外でないため、電気的な種々の工夫をすることが可能になり、通常の墓地における供養以上のお参りをすることができる。
【図面の簡単な説明】
【０００７】
【図１】簡易墓石全体図（前面立面図）
【図２】簡易墓石全体図（側面立面図）
【図３】簡易墓石全体図（平面図）
【図４】簡易墓石のスピーカー埋め込みを示す図（平面図、正面立面図、側面立面
【図５】簡易墓石納骨櫃平面図
【図６】簡易墓石納骨櫃正面立面図
【図７】簡易墓石納骨櫃側面立面図
【考案を実施するための形態】
【０００８】
上記の課題を解決する本考案は、以下の構成を持つ。
１）本簡易墓石の素材は、軽量、小型にするために発泡スチロール（以下本体と記載）の墓型に石板、木板を加工して本体に貼り付ける。
２）本体に貼り付ける石材、木材、その他の素材（人口大理石、金属板）は本体を軽量化するために極力薄く加工する。
３）本体の墓碑は納骨櫃の上に設置して墓碑の形状は、旧式の縦型、横型、その他のモデル型を取りそろえる。
４）本体の石碑の下に設置する、納骨をする納骨櫃は本体と同じ素材にて製作設置し、本体石碑の土台として連結接合する。
５）本体の寸法は押入れ又は別納場所を設けて設置するので寸法は、奥行、横巾、共に、2尺5寸（７５ｃｍ）以下とする。
６）本体、納骨櫃は高さ４０ｃｍ以下として内部を壱階、又は、弐階建（先祖のお骨を合祭する場合）にして各階の納骨櫃の高さは１７ｃｍ以下とする。
７）納骨櫃に納骨する骨壺は、丸型、四角形、六角形、その他の多角形とし、納骨壺は直径１３ｃｍ、高さ１５ｃｍ以下とする。
８）ご先祖様の毎日のご供養の為、唱えるお念仏は、仏教各宗派の高僧による毎朝夕に唱える読経のテープとテープレコーダーを本体に添付する。
９）添付したテープレコーダーの読経を聞くためのスピーカーを本体の左右、側部に組み込む様に設置する。
【０００９】
図1に本考案の前面立面図を示す。納骨櫃３の上にスピーカー２を埋め込んだ部材を設けている、その上に墓標１を設置している。墓標１、納骨櫃３、スピーカー２を埋め込んだ部材はいずれも発泡スチロール製であり、外面を薄い被覆部材で覆っている。被覆部材には、石材、木材、プラスチック、石、金属板）を使用する。これらの被覆部材は、接着剤で墓本体の表面に固定する。被覆部材の厚さは、２ｍｍ〜１５ｍｍが好ましい。薄すぎると衝突等により凹みが発生しやすく、厚すぎると重くなり、また、価格が高くなる。この厚さは当然、用いる素地により異なってくる。木材の場合は厚く、金属の場合は薄くなる。
全体の大きさは、高さ５０〜８０ｃｍ、幅５０〜７０ｃｍ、奥行きは４０〜５５ｃｍ程度が適当である。これ以下の大きさでは、骨壺を入れるスペースが小さくなり、また、これ以上の大きさになると、押入れに入りにくくなる。
【００１０】
図２は、本考案の側面立面図を示す。図３は、本考案の平面図を示す。
図４は、スピーカー２を埋め込んだ部材である。スピーカー２を両側に備えている。側面立面図の矢印（５角形）は前面方向を示している。
図５は、本考案の簡易墓石の納骨櫃の平面図である。図の下方向（矢印の５角形の方向であり、前面方向）に開く構造になっている。４は骨壺である。
図６は、簡易墓石の納骨櫃の正面立面図である。左右の２つの部屋を設けている。
図７は、簡易墓石の納骨櫃の側面立面図である。
【符号の説明】
【００１１】
１  墓標
２  スピーカー
３  納骨櫃
４  骨壺
【図５】
0003199687.tif 000003
【図１】
0003199687.tif 000004
【図２】
0003199687.tif 000005
【図３】
0003199687.tif 000006
【図４】
0003199687.tif 000007
【図６】
0003199687.tif 000008
【図７】
0003199687.tif 000009
(57)【要約】      （修正有）【課題】使用に際し、指を傷つけることがない留め具を提供する。【解決手段】留め具１０は、互いに重ね合わされかつ互いに接合された一対のリボン１２、１４と、両リボン間に配置された塑性変形可能のワイヤ１６とを備える。ワイヤ１６は、両リボンの両端１２ａ、１４ａ及び１２ｂ、１４ｂからそれぞれ間隔をおいた２つの位置の間を両リボンの長手方向へ伸びている。【選択図】図１
0003199522.tif 000002
【実用新案登録請求の範囲】
【請求項１】
互いに重ね合わされかつ互いに接合された一対のリボンと、両リボン間に配置された折り曲げ可能のワイヤとを備え、
前記ワイヤは、両リボンの両端からそれぞれ間隔をおいた２つの位置の間を両リボンの長手方向へ伸びている、留め具。
【請求項２】
前記ワイヤは、両リボンの幅方向におけるほぼ中央に位置する、請求項１に記載の留め具。
【請求項３】
両リボンは互いに異なる色彩を有する、請求項１又は２に記載の留め具。
【考案の詳細な説明】
【技術分野】
【０００１】
本考案は、留め具に関する。
【背景技術】
【０００２】
従来、例えば袋の口を閉じるための留め具として、リボンと該リボンの片面に固定された塑性変形可能のワイヤとからなるものが提案されている。これによれば、袋の口の近くで窄めてなる首に前記留め具を巻き付け、これを折り曲げあるいはさらに捩り合わせることにより、袋の口を閉じることができる。
【０００３】
しかしその反面、前記留め具には、その取り扱いに際し、むき出しの前記ワイヤの両端が手の指を傷つける可能性を内包するという不都合がある。
【先行技術文献】
【特許文献】
【０００４】
【特許文献１】実用新案登録第３０３７１０６号公報
【考案の概要】
【考案が解決しようとする課題】
【０００５】
本考案の目的は、取り扱い上、手の指を傷つけることがない留め具を提供することにある。
【課題を解決するための手段】
【０００６】
本考案の留め具は、互いに重ね合わされかつ互いに接合された一対のリボンと、両リボン間に配置された塑性変形可能のワイヤとを備える。前記ワイヤは、両リボンの両端からそれぞれ間隔をおいた２つの位置の間を両リボンの長手方向へ伸びている。
【考案の効果】
【０００７】
本考案によれば、前記ワイヤの両端部が、互いに接合された両リボン間にあって両リボンの外部に露出していないことから、前記留め具の取り扱い上、前記ワイヤの両端部で手の指を傷つけることを防止することができる。両リボンは前記留め具の適用対象の装飾に寄与する。
【０００８】
前記ワイヤは、好ましくは、両リボンの幅方向におけるほぼ中央に位置する。両リボンは互いに異なる色彩を有するものとすることができる。
【図面の簡単な説明】
【０００９】
【図１】留め具の部分破断斜視図である。
【考案を実施するための形態】
【００１０】
図１に、本考案の一例に係る留め具１０が示されている。留め具１０は、例えば、袋の口を閉じること、装飾用造花を衣服に留めること等に使用される。
【００１１】
留め具１０は、互いに重ね合わされかつ互いに接合された一対のリボン１２、１４と、両リボン１２、１４間に配置された塑性変形可能のワイヤ１６とを備える。
【００１２】
両リボン１２、１４はそれぞれ織布、不織布、紙等からなる。また、両リボン１２、１４の色彩、模様等は、留め具１０の適用対象を装飾する働きをなす。例えば、両リボン１２、１４が互いに同一の色彩又は異なる色彩を有するもの、互いに同一の模様又は異なる模様を有するもの等とすることができる。また、両リボン１２、１４の長さ寸法および幅寸法は、留め具１０の適用先を考慮して定めることができる。
【００１３】
ワイヤ１６は、金属製、形状保持プラスチック製等のものからなる。ワイヤ１６は、好ましくは、これを手の指で折り曲げることができる強さ、太さ等を有する。
【００１４】
ワイヤ１６は、両リボン１２、１４より短い長さ寸法を有し、両リボン１２，１４の両端１２ａ、１４ａ及び１２ｂ、１４ｂからそれぞれ間隔をおいた２つの位置の間を両リボン１２，１４の長手方向へ直線的に伸びている。このことから、ワイヤ１６の両端１６ａ、１６ｂは、それぞれ、前記２つの位置にあって両リボン１２、１４により覆われ、両リボン１２、１４間からこれらの外部に露出していない。このため、留め具１０の取り扱いに際し、誤って手の指をワイヤ１６の両端部１６ａ、１６ｂで傷付けることはない。
【００１５】
留め具１０を使用して、例えば袋（図示せず）の口を閉じるときは、前記袋の口の近くで窄めてなる首に留め具１０を巻き付け、両リボン１２、１４の上からワイヤ１６を折り曲げあるいはさらに捩り合わせる。
【００１６】
図示のワイヤ１６は、また、両リボン１２，１４の幅方向におけるほぼ中央に位置する。これに代えて、両リボン１２，１４の前記幅方向における中央と両縁１２ｃ、１４ｃ及び１２ｄ、１４ｄのいずれか一方との間に位置するものとすることができる。
【００１７】
また、ワイヤ１６は、両リボン１２、１４の両縁１２ｃ、１４ｃ及び１２ｄ、１４ｄに対してこれらと平行に配置された図示の例に代えて、両リボン１２，１４の両縁１２ｃ、１４ｃ及び１２ｄ、１４ｄと交差する方向へ伸びるように配置することができる。さらに、ワイヤ１６は、直線的に伸びる図示の例に代えて、例えば波状にあるいはジグザグに伸びるものとすることができる。
【００１８】
図示の一条のワイヤ１６とすることに代えて、互いに平行な複数条のワイヤとし、あるいは、また、互いに交差する複数のワイヤとすることができる。
【符号の説明】
【００１９】
１０  留め具
１２、１４  リボン
１６  ワイヤ
【図１】
0003199522.tif 000003
(57)【要約】      （修正有）【課題】吸収層を突出させ、尿パッド全体として、中央部が凸状構造をとることで、尿パッド本体の体積を減少し、材料を節約でき、凸状構造によりペットに大小便位置を辨別させ、ペットが凸状構造の上に大小便することを実現しやすく、横漏れを防止し、利用率を向上させる中心吸収ペット用尿パッドを提供する。【解決手段】中心吸収ペット用尿パッドは、尿パッド本体が層状構造であり、最上部の不織布被覆層１と、最下部のＰＥ膜漏れ止め層４とを含み、被覆層とＰＥ膜漏れ止め層との間の部位に吸収層２が設置され、尿パッド本体の吸収層部位を凸状とし、漏れ止め層と吸収層との間に衛生紙吸収層３が更に設置される。【選択図】図１
0003199530.tif 000002
【実用新案登録請求の範囲】
【請求項１】
尿パッド本体が層状構造であり、最上部の不織布被覆層、最下部のＰＥ膜漏れ止め層を含み、前記被覆層及び前記ＰＥ膜漏れ止め層との間の部位に吸収層が設置され、尿パッド本体の吸収層部位を凸状とし、前記漏れ止め層と前記吸収層との間に衛生紙吸収層が更に設置されることを特徴とする中心吸収ペット用尿パッド。
【請求項２】
吸収層位置にある前記被覆層には、均一に複数の吸収孔が設置されていることを特徴とする請求項１に記載の中心吸収ペット用尿パッド。
【考案の詳細な説明】
【技術分野】
【０００１】
本考案はペット用尿パッドに関し、特には中心吸収ペット用尿パッドに関し、ペット用品の技術分野に属する。
【背景技術】
【０００２】
現在、人々の生活水平を向上させることにより、猫、狗等のペットが人々の生活に入り始め、且つ地位がますます高くなり、ペットの衛生への要求もますます高くなる。然し、日常生活中で、ペットの排泄物の処理は大変な面倒になり、所有者が相当な精力で解決する必要がある。環境を保護するために、ペットの栖息場地がより快適になり、ペットの権利保護を満たし、同時にペットを清潔にする煩瑣労働を減少させるために、現在の多くの人々が、ペットの飼養時にペット用尿パッドを使用する。従来のペット用尿パッドは、不織布表面被覆層を含み、前記不織布表面被覆層の下面には、パルプ、ＰＰ繊維及び高吸水分子を混合して作製される吸収層が設置され、吸収層の外側面に、ＰＥ膜底部漏れ止め層が設置される。
【０００３】
然し、このようなペット用尿パッドは、使用過程でペット尿液が多い場合には、尿液を吸収できないため、尿パッドの辺縁に浸漏を発生する。横漏れを防止するために、現在市販の尿パッドがますます大きく製造されることで、辺縁横漏れの問題を解決するが、以下の問題が存在する。１、過多の材料を浪費。２、尿パッドが大きくなり、且つペットも中心位置に大小便しないが、横漏れしている。３、ペットが尿パッドに大小便する時、吸収範囲が比較的大きいので、ペットが移動する時に尿液を付帯し出す虞がある。
【考案の概要】
【考案が解決しようとする課題】
【０００４】
本考案による目的は中心吸収ペット用尿パッドを提供することで、従来技術の前記問題を解決することである。
【課題を解決するための手段】
【０００５】
前記技術問題を解決するために、本考案は以下の技術方案を採用する。
【０００６】
尿パッド本体が層状構造であり、最上部の不織布被覆層と、最下部のＰＥ膜漏れ止め層とを含み、被覆層及びＰＥ膜漏れ止め層との間の部位に吸収層が設置され、尿パッド本体の吸収層部位を凸状に形成し、前記漏れ止め層と吸収層との間に更に衛生紙吸収層が設置される中心吸収ペット用尿パッドである。
【０００７】
前記吸収層が衛生紙吸収層の外縁にオーバーラップされる。
【０００８】
良く吸収するために、前記吸収層位置にある被覆層には、均一に複数の吸収孔が設置されている。
【考案の効果】
【０００９】
本考案は、以下の有益な効果を備える。吸収層を突出させ、尿パッド全体として、中央部が凸状構造をとることで、尿パッド本体の体積を減少し、材料を節約でき、凸状構造によりペットに大小便位置を辨別させ、ペットが凸状構造の上に大小便することを実現しやすく、横漏れを防止し、利用率を向上させる。
【図面の簡単な説明】
【００１０】
【図１】図１は本考案による実施例の縦断面構造見取図である。
【考案を実施するための形態】
【００１１】
以下、図面及び具体的な実施例により、本考案による技術的特徴について詳細に説明する。
【００１２】
図１の示すような中心吸収ペット用尿パッドは、尿パッド本体が、層状構造であり、最上部の不織布被覆層１と、最下部のＰＥ膜漏れ止め層４とを含み、被覆層とＰＥ膜漏れ止め層４との間の部位に吸収層２が設置され、尿パッド本体の吸収層２部位が凸状構造として形成され、前記漏れ止め層４と吸収層２との間には更に衛生紙吸収層３が設置される。
【００１３】
前記吸収層２が衛生紙吸収層３の外縁にオーバーラップされても良い。
【００１４】
本考案では、前記吸収層２は、パルプ、ＰＰ繊維及び急速吸収高吸水分子を混合して作製される。
【００１５】
良く吸収するために、前記吸収層２位置にある被覆層１には、均一に複数の吸収孔７が設置されている。
【００１６】
使用過程で、中心吸収層２の凸状構造によりペットに大小便位置を辨別させ、ペットが凸状構造の上に大小便することを実現しやすく、横漏れを防止し、利用率を向上させる。
【符号の説明】
【００１７】
１…被覆層、２…吸収層、 ３…衛生紙吸収層、４…ＰＥ膜漏れ止め層。
【図１】
0003199530.tif 000003
(57)【要約】      （修正有）【課題】専門試薬を挿入した尿パッドを購買する必要がなく、消費者が必要により随意に脱臭剤等の試薬を挿入できるペット用尿パッドを提供する。【解決手段】ペット用尿パッドは、底部の防水材料層１、上層の隔離用不織布層３を備え、防水材料層１の一対の側辺が巻き上がり、且つ不織布層３の一対の側辺と固接され、防水材料層１と不織布層３の他方の一対の側辺に外部への開放開口を形成し、開口内に尿パッド層２が設置され、不織布層３の幅を防水材料層１の幅よりも少し大きくし、不織布層３を巻き上げ、尿パッド層２に試薬を挿入することを容易にする。【選択図】図５
0003199529.tif 000002
【実用新案登録請求の範囲】
【請求項１】
底部の防水材料層と、上層の隔離用の不織布層とを備え、前記防水材料層の一対の側辺が巻き上がり、前記不織布層の一対の側辺と固接され、
前記防水材料層と前記不織布層の他方の一対の側辺に外部への開放開口を形成し、前記開口内に尿パッド層が設置され、
前記不織布層の幅を前記防水材料層の幅よりも少し大きくし、前記不織布層を巻き上げ、前記尿パッド層に試薬を挿入することを容易にすることを特徴とするペット用尿パッド。
【請求項２】
前記不織布層における前記防水材料層の幅を超す部分をペット用尿パッドの側辺縁で折畳むことを特徴とする請求項１に記載のペット用尿パッド。
【請求項３】
前記ペット用尿パッドが矩形構造とすることを特徴とする請求項１に記載のペット用尿パッド。
【請求項４】
前記防水材料層に柔軟な材質の防水材料を用いることを特徴とする請求項１に記載のペット用尿パッド。
【請求項５】
前記ペット用尿パッドは猫、犬ペット用の尿パッドであることを特徴とする請求項１に記載のペット用尿パッド。
【考案の詳細な説明】
【技術分野】
【０００１】
本考案はペット用尿パッドに関し、具体的には帯隔離機能のペット用尿パッドに関し、ペット用尿パッドの技術分野に属する。
【背景技術】
【０００２】
人々の生活品質を向上させることにより、飼養ペットがますます多くなり、多くの高楼住民も養犬、猫等のペットを飼養し始めるため、ペット用尿パッドの使用がますます幅広くなる。
【０００３】
従来のペット用尿パッドは、ペットが常に尿パッドで遊ぶため、使用前にペットにより汚されてしまい、使用されないが取替する必要が生じて、一定の浪費を引き起こす。尿パッドに脱臭剤或は他の試薬を挿入する必要があり、ペットが試薬を挿入した尿パッドを汚くひっかき、浪費となる可能性がある。消費者は、市販で脱臭剤或は専門試薬を挿入した尿パッドについて選択し、必要により種類の異なる尿パッドを十分準備することは面倒であり、浪費を引き起こす可能性がある。
【考案の概要】
【考案が解決しようとする課題】
【０００４】
従来のペット用尿パッドは、使用前にペットにより汚されてしまい、使用されないが取替する必要が生じて、一定の浪費を引き起こすことがある。尿パッドに脱臭剤或は他の試薬を挿入する必要があり、ペットが試薬を挿入した尿パッドを汚くひっかき、浪費となる可能性がある。消費者は、市販で脱臭剤或は専門試薬を挿入した尿パッドに対して選択し、必要により種類の異なる尿パッドを十分準備することは面倒であり、浪費を引き起こす可能性がある。
【課題を解決するための手段】
【０００５】
本考案は、以下の技術方案を採用する。
【０００６】
底部の防水材料層、上層の隔離用不織布層を備え、前記防水材料層の一対の側辺が上に向かって巻き、不織布層の一対の側辺と固接され、防水材料層及び不織布層それぞれの他方の一対の側辺に外部へ開放する開口を形成し、前記開口内に尿パッド層が設置され、前記不織布層の幅を少し防水材料層の幅よりも大きくし、不織布層を巻き上げ、尿パッド層に試薬を挿入することを容易にする。
【０００７】
より一層として、不織布層における防水材料層の幅を超す部分をペット用尿パッドの側辺縁で折畳むペット用尿パッドである。
【０００８】
より一層として、前記ペット用尿パッドは矩形構造とする。
【０００９】
より一層として、前記防水材料層に柔軟な材質の防水材料を用いる。
【００１０】
より一層として、前記ペット用尿パッドは、猫、犬ペット用の尿パッドである。
【考案の効果】
【００１１】
本考案の有益な効果は、以下のことにある。
１）専門試薬を挿入した尿パッドを購買する必要がなく、消費者が必要により随意に脱臭剤等の試薬を挿入できる。
２）一対の開放辺縁を備え、できる不織布を巻き上げ、尿パッド層に試薬を挿入できる。
３）尿パッドを保護し、尿パッドが未使用前に損壊或は汚れることを回避し、浪費を防止し、省エネルギーになり、環境を保護できる。
４）ペットは、尿パッド上の脱臭剤等の試薬による直接的な影響を受けないように保護される。
【図面の簡単な説明】
【００１２】
【図１】図１は本考案によるペット用尿パッドの立体見取図である。
【図２】図２は図１の一部拡大図である。
【図３】図３は本考案によるペット用尿パッドの正面図である。
【図４】図４は本考案によるペット用尿パッドの下面図である。
【図５】図５は図４の不織布層を巻き上げ、尿パッド層に試薬を挿入する状態の見取図である。
【図６】不織布層における前記防水材料層の幅を超す部分をペット用尿パッドの側辺縁で折畳んだ状態の見取図である。
【考案を実施するための形態】
【００１３】
以下、具体的な実施例及び図面を参照して本考案についてより一層説明する。
【００１４】
図１-６を参照し、本実施例によるペット用尿パッドは、底部の防水材料層１と、上層の隔離用の不織布層３とを備え、前記防水材料層１の一対の側辺が巻き上がり、且つ不織布層３の一対の側辺と固接され、防水材料層１と不織布層３の他方の一対の側辺に外部への開放開口を形成し、前記開口内に尿パッド層２が設置され、前記不織布層３の幅を防水材料層１の幅よりも少し大きくし、不織布層３を巻き上げて尿パッド層２に試薬を挿入することを容易にする。
【００１５】
不織布層３における防水材料層１の幅を超す部分をペット用尿パッドの側辺縁で折畳むことで、ペット用尿パッドの平整を保持する。
【００１６】
前記ペット用尿パッドが矩形構造とし、使用及び保管を容易にする。
【００１７】
前記防水材料層１には、柔軟な材質の防水材料を用いる。
【００１８】
前記ペット用尿パッドは猫、犬ペット用の尿パッドである。
【００１９】
本考案は、専門試薬を挿入した尿パッドを購買する必要がなく、消費者が必要により随意に脱臭剤等の試薬を挿入できる。一対の開放辺縁を備え、できる不織布を巻き上げ、尿パッド層に試薬を挿入できる。尿パッドを保護し、尿パッドが未使用前に損壊或は汚れることを回避し、浪費を防止し、省エネルギーになり、環境を保護できる。ペットは、尿パッド上の脱臭剤等の試薬による直接的な影響を受けないように保護される。
【符号の説明】
【００２０】
１…防水層、２…尿パッド層、３…不織布層、１ａ…防水材料層の一対の側辺を巻き上げる部位。
【図１】
0003199529.tif 000003
【図２】
0003199529.tif 000004
【図３】
0003199529.tif 000005
【図４】
0003199529.tif 000006
【図５】
0003199529.tif 000007
【図６】
0003199529.tif 000008
(57)【要約】      （修正有）【課題】劣化したトランクス、ブリーフの伸縮を簡単に再生する伸縮再生具を提供する。【解決手段】ゴムテープ１の両端に凹凸の対の留め具２、３をそれぞれ設けた伸縮再生具である。この伸縮再生具を伸縮機能が劣化したトランクス、ブリーフに穴を開けて取り付け、伸縮機能を簡単に再生して、捨てずにさらに使用期間を延長できるようにする。【選択図】図３
0003199566.tif 000002
【実用新案登録請求の範囲】
【請求項１】
伸縮機能を有する素材を、伸縮機能が弱くなったトランクス、ブリーフに取り付け、伸縮機能を再生することを特徴とした伸縮再生具。
【請求項２】
請求項１記載に於いて、伸縮機能を有する素材の一つであるゴムテープの両端に留め具をそれぞれ設け、簡単に取り付けることが出来ることを特徴とした伸縮再生具。
【請求項３】
請求項１、請求項２、記載に於いて、留め具は凹凸の対とし着脱が簡単に出来ることを特徴とした伸縮再生具。
【考案の詳細な説明】
【技術分野】
【０００１】  本考案は、トランクス、ブリーフの身体にフイットさせる伸縮部分が劣化し弱くなった場合、伸縮部分を再生する器具に関するものである。
【背景技術】
【０００２】  トランクス、ブリーフの身体にフイットさせる伸縮部分は、本体部分より、もろもろの力が加わるので、本体部分がまだまだ使用できる状態なのに伸縮する機能が弱くなって身体にフイット出来なくなりトランクス、ブリーフが使用不能で廃棄処分をしなければならなくなる。
【考案の開示】
【考案が解決しようとする課題】
【０００３】  伸縮機能が弱くなり使用不能となったトランクス、ブリーフに伸縮再生具を取り付け、伸縮機能を再生することにより使用期間を延長し、個人の経済的な負担を軽くしたい。
トランクス、ブリーフは全ての人が毎日使用するものであり、その量は莫大なものである。使用期間の延長により資源の有効利用を図りたい。
ごみとして処分する際の大量の二酸炭素の排出を使用期間の延長によりトータルで抑制し温暖化の防止、環境保全に役立てたい。
【課題を解決するための手段】
【０００４】  伸縮再生具は、トランクス、ブリーフの伸縮機能が弱くなったのを、伸縮機能を有する素材を用いて再生するものである。
伸縮再生具は、伸縮機能を有する素材の一つであるゴムテープの両端に凹凸の対の留め具をそれぞれ設け着脱可能にし、トランクス、ブリーフに穴を開けて簡単に取り付けることが出来るようにしたものである。
この着脱可能な伸縮再生具を基本とし、着脱を必要としない場合は固定留め具を使用する。
伸縮再生具は、個人個人の身体にトランクス、ブリーフがフイットするよう伸縮部分の適切なところに取り付ける。
ゴムテープの長さは、伸縮機能の弱さの度合いによって異なるが個々人の腰回りの２０％から４０％が適当。長めの伸縮再生具は、トランクス、リーフの伸縮部の穴を内側と外側を蛇行するように取り付けると納まりがいい。幅は広めの方が安定する。
【考案の効果】
【０００５】  伸縮再生具の使用により、トランクス、ブリーフの使用期間が延長でき個人の経済的負担の軽減が実現し、資源の有効利用が図られ、二酸化炭素の排出をトータルで抑制し、廃棄処分の経費も削減できる。
伸縮再生具は、トランクス、ブリーフの伸縮部分に数か所の穴を開け、凹凸留め具を使用して取り付けるので、簡単に着脱ができ、身体によりフイットするよう調整が出来る。
伸縮再生具は、構造がシンプルなので簡単に製造でき、製造費用も少なくて済む。
トランクス、ブリーフを再び使用できる状態に再生するのが目的で、見栄えは二の次と考える。
【考案を実施するための最良の形態】
【０００６】  本考案による伸縮再生具を、トランクス、ブリーフに取り付ける時、個人個人に最もフイットする位置に穴を開け凹凸留め具で取り付けることを基本とする。
使用してみて身体にフイットしない場合、使用時フイットしなくなった場合は、着脱可能な留め具なので、最もフイットするところに付け替えることが可能である。
【図面の簡単な説明】
【０００７】
【図１】  本考案の正面図である。
【図２】  本考案の側面図である。
【図３】  本考案の斜視図である。
【図４】  本考案の使用状態を示す斜視図（前方から）である。
【図５】  本考案の使用状況を示す斜視図（後方から）である。
【符号の説明】
【０００８】  １    伸縮再生具のゴムテープ
２    伸縮再生具の凹留め具
３    伸縮再生具の凸留め具
４    トランクス、ブリーフの本体
５    トランクス、ブリーフの伸縮部分の内側
６    トランクス、ブリーフの伸縮部分の外側
【図１】
0003199566.tif 000003
【図２】
0003199566.tif 000004
【図３】
0003199566.tif 000005
【図４】
0003199566.tif 000006
【図５】
0003199566.tif 000007
【手続補正書】
【提出日】平成27年6月13日(2015.6.13)
【手続補正１】
【補正対象書類名】実用新案登録請求の範囲
【補正対象項目名】全文
【補正方法】変更
【補正の内容】
【実用新案登録請求の範囲】
【請求項１】
伸縮機能を有する素材のテープを有するとともに、伸縮機能が弱くなったトランクス又はブリーフに当該テープを取り付けるための留め具を当該テープの両端に有し、伸縮機能が弱くなったトランクス又はブリーフに当該テープを取り付けることで当該トランクス又はブリーフの伸縮機能を再生することを特徴とした伸縮再生具。
【請求項２】
請求項１記載の伸縮再生具であって、前記伸縮機能を有する素材のテープはゴムテープであり、当該ゴムテープの両端に留め具をそれぞれ設け、簡単に取り付けることが出来ることを特徴とした伸縮再生具。
【請求項３】
請求項１又は請求項２記載の伸縮再生具であって、留め具は凹凸の対とし着脱が簡単に出来ることを特徴とした伸縮再生具。
(57)【要約】      （修正有）【課題】マスクを着用した状態でも鼻呼吸の息苦しさを解消することが、できるマスクであり、めがねの、くもり止めの効果もある、マスクを提供する。【解決手段】マスク本体１の外側に、通気性の良い素材の外層部２を設けた、外層部と本体部からなる、マスクであり、鼻呼吸を楽にしたい時には、マスクの鼻部の本体部を、口部側に折り返すことにより鼻孔部４を、通気性の良い外層部だけにする。【選択図】図１
0003199570.tif 000002
【実用新案登録請求の範囲】
【請求項１】
本来の、マスクの機能を有する、マスク本体の外側に、通気性の良い素材の外層を、設けた、外層部と本体部からなるマスクであり、このマスクは、本体部を繰り返し、折り返すことができ、鼻部の本体部を、口部側に折り返すことにより鼻孔部を、通気性の良い外層部だけにし、マスクを着用した状態でも、鼻呼吸の息苦しさを、解消する効果がある、マスクであり、めがねの、くもり止め効果もあるマスク。
【請求項２】
折り返しの構造及び形状に、ついては限定するものでは、ない。
【請求項３】
鼻孔部は、通気性の良い素材の外層部で、口部は、本来のマスクの機能を有するマスク本体から構成されている折り返し構造のない請求項１記載の効果を、有する、マスク。
【請求項４】
鼻孔部と、口部が通気性の良い素材の外層部の構成になっている請求項１記載の効果を、有する、マスク。
【請求項５】
請求項１・３・４記載の通気性の良い外層部は、マスクとしての機能の有・無及び素材や形状、色、柄などについて限定するものではない。
【考案の詳細な説明】
【技術分野】
【０００１】本考案は、本来の、マスクの機能を有する、本体部のマスクの外側に、通気性の良い素材の外層部を設け、鼻部の本体部を、口部側に折り返すことにより、鼻孔部を、通気性の良い外層部だけにし、マスクを着用した状態でも、鼻呼吸の息苦しさを解消できるマスクであり、めがねの、くもり止め効果もあるマスクである。
【背景技術】
【０００２】マスクには、様々なものがあり平面形状で、ガーゼを使用した従来の平型マスク、不織布を使用した立体形状の、立体型マスク、プリーツ形状で顔にフィットさせる、プリーツ型マスクなどである。【０００３】また、特殊な、フィルターで花粉や、ウイルスを吸着させたり、抗菌効果、スチーム効果を、うたったものなど、マスク自体の機能の向上を図った様々な商品が、市販されている。
【考案の概要】
【考案が解決しようとする課題】
【０００４】しかし、本来のマスクの機能を、必要としない、つまり病気の症状が、なく予防目的でも、なく、マスクを着用している人が多いのも事実である。
たとえば、口臭が気になるため、肌の防寒，保湿のため、スッピンを隠すため、口呼吸の改善のため、クリーンルーム内や調理場，飲食店などでの、唾の飛散防止のため、ファションの、一部として、など多くの理由からである。【０００５】この様な、人たちにとっては、鼻呼吸が息苦しい、マスクの機能は、必要なく鼻呼吸が、もっと楽にできる、マスクを、必要としている。
【問題を解決するための手段】
【０００６】本考案は、本来の、マスクの機能を有する、マスク本体の外側に、通気性の良い素材の、外層を設けた、外層部と本体部からなる、マスクである。
【０００７】本考案の、マスクは、本体部を繰り返し折り返すことができ、鼻部の本体部を、口部側に、折り返すことにより、鼻孔部を、通気性の良い外層部だけにすることができるマスクである。
【０００８】鼻孔部を、通気性の良い外層部だけに、することにより、マスクを着用した状態でも、鼻呼吸の、息苦しさを解消できる、マスクであり、又、これにより、めがねのくもり止め効果もある、マスクである。
【考案の効果】
【０００９】本考案の、マスクは、通常の使用時は、マスク本来の機能を有し、鼻呼吸を、楽にしたい時には、鼻部の本体部を、口部側に折り返し鼻孔部を、通気性の良い、外層部だけに、することにより、マスクを着用した状態でも、鼻呼吸の息苦しさを、解消できる、マスクであり、めがねの、くもり止めの効果もある、マスクである。
【考案を実施するための形態】
【００１０】本考案は、本来のマスクの機能を有する、マスク本体、１の、外側に、通気性の良い素材の外層、２を設けた、外層部、２と、本体部、１からなる、マスクである。
【００１１】本考案の、マスクは、本体部、１を、繰り返し、口部側、５に折り返すことが、できるもので、鼻部、３の、本体部、１を、口部側、５に、折り返すことにより、鼻孔部、４を、通気性の良い、外層部、２だけに、することができる。
【００１２】鼻孔部、４を、通気性の良い外層部、２だけに、することにより、マスクを着用した状態でも、鼻呼吸の息苦しさを解消することが、できる。
【００１３】折り返した本体部、１を、鼻部側、３に、再度、折り返すことにより、本来のマスクの機能を、有する、マスクとして使用することが、できる。
【図面の簡単な説明】
【００１４】
【図１】
0003199570.tif 000003
【符号の設明】
【００１５】１・・・・本来の、マスク機能を有する、マスク本体．
２・・・・通気性の良い素材の外層部．
３・・・・鼻部．
４・・・・鼻孔部．
５・・・・口部．
６・・・・鼻の、カーブに合わせて変形が可能な、板状又は、棒状の樹脂材．
７・・・・耳、掛け用のゴム又は、ひも．
【図１】
0003199570.tif 000004
【手続補正書】
【提出日】平成27年6月11日(2015.6.11)
【手続補正１】
【補正対象書類名】実用新案登録請求の範囲
【補正対象項目名】全文
【補正方法】変更
【補正の内容】
【実用新案登録請求の範囲】
【請求項１】
マスク本体の外側に、マスク本体より通気性の良い素材の外層を、設けた、外層部と本体部からなるマスクであり、このマスクは、本体部を繰り返し、折り返すことができ、鼻部の本体部を、口部側に折り返すことにより鼻孔部を、本体部より通気性の良い外層部だけにし、マスクを着用した状態でも、鼻呼吸の息苦しさを、解消する効果がある、マスクであり、めがねの、くもり止め効果もあるマスク。
【請求項２】
外層部と本体部からなるマスクであり、鼻孔部は、本体部より通気性の良い素材の外層部で、口部は、本体部から構成されていて、マスクを着用した状態でも、鼻呼吸の息苦しさを、解消する効果があるマスクであり、めがねの、くもり止め効果もあるマスク。
【請求項３】
本体部より通気性の良い素材の外層部だけからなるマスクで、マスクを着用した状態でも、鼻呼吸の息苦しさを、解消する効果があるマスクであり、めがねの、くもり止め効果もあるマスク。
(57)【要約】      （修正有）【課題】マスク着用時に耳の痛みを無くすようにしたマスク固定具を提供する。【解決手段】本体部分の両端にマスクの耳掛け紐を引っ掛けるためのフック部分２、３を設けることにより、マスクの耳掛け紐を後頭部で固定することを特徴とする。【選択図】図１
0003199562.tif 000002
【実用新案登録請求の範囲】
【請求項１】
マスク着用時に耳に直接紐をかけるのではなく、マスク着用時の耳の痛みを無くすための補助器具。
【考案の詳細な説明】
【技術分野】
【０００１】本考案は、マスク着用時の耳の痛みを無くすものである。
【背景技術】
【０００２】風邪や花粉症で長時間マスクを着用していると、耳に掛けている紐の部分が痛くなってくる。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】どうしてもマスクをしなくてはならない時の耳の痛みを無くすものである。
【課題を解決するための手段】
【０００６】本考案は、直接耳にマスクの紐が当たらずフックを用いて頭全体でマスクを固定することによりマスク着用時の耳の痛みを解決する。
【考案の効果】
【０００７】上述のように、フックを用いることによって頭全体でマスクを固定する為、耳に直接紐が当たらず長時間の着用でも耳が痛くなることがなくなる。
【図面の簡単な説明】
【０００８】
【図１】本考案のストラップ型の図面
【図２】本考案のクリップ型の図面
【考案を実施するための形態】
【０００９】マスクストッパーの片方はマスクの紐に固定されているので、マスク装着時にはもう片方をマスクの紐に掛けるだけで簡易に装着でき、直接耳に紐が当たらないので痛くなることがない。又、本体自体がマスクの紐に固定されているのでマスク脱着時の紛失がない。
【実施例】
【００１０】以下、添付図面に従って実施例を説明する。１はフラスチックス又は平紐等適宣資材にて形成された本体、２はプラスチックス等適宣資材にて形成されたマスク紐を通して紐から外れないようにするフック。３はもう片方のマスクの紐を引っ掛けるフック。まず、２のフックにマスクの紐を通して外れないようにする。普通にマスクを装着し３のフックをもう片方のマスクの紐に引っ掛けて使用する。
【産業上の利用可能性】
【００１１】本体部分やフック部分の素材はプラスチックやシリコンで作成が容易且つ安価であり、又カラーも多彩化することによってファッション的に違和感なくマスクを装着することができる。
【符号の説明】
【００１２】１  ストッパー本体
２  フック（固定用）
３  フック（引っ掛け用）
４  アジャスター
【図１】
0003199562.tif 000003
【図２】
0003199562.tif 000004
【手続補正書】
【提出日】平成27年3月5日(2015.3.5)
【手続補正１】
【補正対象書類名】実用新案登録請求の範囲
【補正対象項目名】全文
【補正方法】変更
【補正の内容】
【実用新案登録請求の範囲】
【請求項１】
マスクの耳掛け紐を後頭部で結束するためのマスク固定具（補助具）。
【請求項２】
材質を合成樹脂でのマスク固定具。
【請求項３】
前記マスク固定具は板状の部材の両端を折り返したフック部分にマスクの耳掛け紐をひっかけてマスクを後頭部で固定することを特徴とするマスク固定具。
【請求項４】
前記マスク固定具は巻き込みクリップ部を備えることでマスク本体と一体化することを特徴とする請求項３に記載のマスク固定具。
【手続補正書】
【提出日】平成27年5月1日(2015.5.1)
【手続補正１】
【補正対象書類名】実用新案登録請求の範囲
【補正対象項目名】全文
【補正方法】変更
【補正の内容】
【実用新案登録請求の範囲】
【請求項１】
本体部分の両端にマスクの耳掛け紐を引っ掛けるためのフック部分を設けることにより、マスクの耳掛け紐を後頭部で固定することを特徴とするマスク固定具。
【請求項２】
前記マスク固定具の材質を合成樹脂とすることを特徴とする請求項１に記載のマスク固定具。
【請求項３】
前記マスク固定具は板状の部材の両端を折り返したフック部分にマスクの耳掛け紐をひっかけてマスクを後頭部で固定することを特徴とする請求項１に記載のマスク固定具。
【請求項４】
前記マスク固定具は巻き込みクリップ部を備えることでマスク本体と一体化することを特徴とする請求項１に記載のマスク固定具。
(57)【要約】      （修正有）【課題】風邪や花粉症・インフルエンザ等の病気の原因となる埃や花粉・細菌・ウィルスなどの異物を洗い流し、誰にでも簡単に、使い易く、苦痛が少なく、短時間でできる鼻腔洗浄ボトルを提供する。【解決手段】アルファベッド「Ｊ」もしくは、ひらがな「し」の字形を逆さまにしたノズル３をキャップ２に一体合成させたノズル付キャップとポリエチレン樹脂等の弾力性のあるボトル１とが、回転式開閉詮で着脱できる鼻腔洗浄ボトルを構成している。先の丸いノズル３の先端を鼻孔に挿入する時、ノズル３のカーブは鼻腔深く入るのを防ぎ、鼻孔をやさしく押し付け、ストッパー代わりになって、鼻腔洗浄ができる。【選択図】図３
0003199593.tif 000002
【実用新案登録請求の範囲】
【請求項１】
アルファベッド「Ｊ」もしくは、ひらがな「し」の字形を逆さまにしたノズル３をキャップ２に一体合成させたノズル付キャップを特徴とする鼻腔洗浄ボトル。
【請求項２】
ノズル付キャップとポリエチレン樹脂等の弾力性のあるボトル１とが、回転式開閉詮で着脱できるのを特徴とする鼻腔洗浄ボトル。
【考案の詳細な説明】
【技術分野】
【０００１】  本考案は洗浄液（生理食塩水など）を鼻孔から注入して、鼻腔を傷つけることなく、鼻腔から上咽頭にかけて洗浄した後、洗浄液を口から吐き出すことが容易にできるようにした鼻腔洗浄ボトルに関するものである。
【背景技術】
【０００２】  従来の鼻洗いは、コップに洗浄液を入れ、片側の鼻孔を直接コップに付けるか、チューブを使って、チューブの片端をコップに入れ、もう一方の片端を鼻孔に差し込み、鼻で吸い込んで、口から吐き出す方法。又、頭を後方に下げて洗浄液の入ったスポイトや口の小さいプラスチックボトルを鼻孔に差し込んで、口から吐き出す方法。針の無い注射器を直接、鼻孔に差し込んで、鼻洗浄する等々の方法があった。【０００３】  しかしながら、自力で鼻から吸い込んだり、頭を後方に下げて、鼻洗浄するやり方は、洗浄液が口から出ないで、胃に流れこんだり、肺に流れこんで、咽せることがあった。【０００４】  スポイトや口の小さいプラスチックボトル・針の無い注射器等による鼻洗浄は、洗浄液の入る量が少なく、鼻腔から上咽頭にかけて付着した埃や花粉・細菌・ウィルスなどの異物を洗い流すのに十分でなく、何度も充填しなければならないという欠点あった。【０００５】  また、スポイトや針の無い注射器・チューブ等の先端が、鼻腔深く入ると粘膜を傷つける恐れがあり、深く入らないようにしたり、先端にノースピースを付けて鼻孔に押しつけ、鼻穴を広げる鼻腔洗浄器等があったが、鼻孔の形状・大きさは子供から大人まで千差万別で、誰にでも合致するものではなかった。
【先行技術文献】
【特許文献】
【０００６】
【特許文献１】実開平０７−０２２７３７
【特許文献２】実登３１４３８０２
【特許文献３】実登３０６７９６２
【特許文献４】実登３０７６９６７
【考案の概要】
【考案が解決しようとする課題】
【０００７】  本考案は、以上のような従来の欠点に鑑み、自力で鼻から吸い込んだり、頭を後方に下げて洗浄することによる胃への流入、及び、肺に流れ込んで咽せる不快感をなくし、洗浄液を口から容易に吐きだすことができる鼻腔洗浄ボトルを提供することを目的としている。【０００８】  また、洗浄液が少ししか入らないスポイトや口の小さいプラスチックボトル・注射器等よりも大量に入る容器で、埃や花粉・細菌・ウィルスなどの異物を一回の充填だけで洗い流すことができる鼻腔洗浄ボトルを提供することを目的としている。【０００９】  また、鼻孔に挿入するノズルの先端が鼻腔深く入って粘膜を傷つけることなく、子供から大人迄、誰にでも簡単に、使い易く、苦痛が少なく、短時間でできる鼻腔洗浄ボトルを提供することを目的としている。
【課題を解決するための手段】
【００１０】  上記目的を達成するために、本考案は、アルファベッド「Ｊ」の字形を逆さまにしたノズル３をキャップ２に一体合成させたノズル付キャップとポリエチレン樹脂等の弾力性のあるボトル１とが回転式開閉詮で着脱できる鼻腔洗浄ボトルを構成している。
【考案の効果】
【００１１】  以上の説明から明かのように、本考案にあっては次に列挙する効果が得られる。
（１）アルファベッド「Ｊ」の字形を逆さまにしたノズル３をキャップ２に一体合成させたのを特徴とするノズルつきキャップとポリエチレン樹脂等の弾力性のあるボトル１とは回転式開閉詮で構成されているので、取り外しが簡単である。したがって、ボトル１に洗浄液４を充填するのが容易である。【００１２】（２）前記（１）の「Ｊ」の字形をしたノズル３の先端がカーブしている為、ノズル３を鼻孔に差し込んでも、カーブがストッパー代わりをして、浅くしか入らないので鼻腔を傷つけることなく安全である。【００１３】（３）前記（１）のノズル付キャップとボトル口５のサイズさえ合えば、ボトル１の容量や形状を自由に変えることができる。【００１４】（４）前記（１）の弾力性のあるボトル１は、力加減で水圧を自由に調節することができる。したがって、咽せそうになったり、胃に入りそうになったりする洗浄液の流入を止めることができるばかりか、ボトル１の復元力によって、逆流させることも可能である。【００１５】（５）また、弾力性のあるボトル１は、片側の鼻腔を洗浄した後、もう一方の鼻孔へ移し替える時に力を抜くと、ボトル１の復元力でノズル３の先端から空気が入り、最後まで洗浄液４を使いきることができる。
【図面の簡単な説明】
【００１６】
【図１】本考案に係るノズル付キャップの斜視図である。
【図２】本考案に係るボトル１の斜視図である。
【図３】本考案に係るノズル付キャップとボトル１とを密着させた断面図である。
【図４】本考案の使用時の斜視図である
【考案を実施するための形態】
【００１７】  以下、本考案の実施の形態を図面に基づいて説明する。
図１はノズル３とキャップ２を一体合成したノズル付キャップの斜視図で、図３はボトル１にノズル付キャップを閉詮し、洗浄液４が充填された状態の断面図である。図４は本鼻腔洗浄ボトルを逆さまにして使用した時の斜視図である。
【００１８】  本考案の使用方法は、ボトル１からノズル付キャップを開詮し、洗浄液４を充填した後、ノズル付キャップを閉詮し、本鼻腔洗浄ボトルを図４のように逆さまにして右手で持って、ノズル３を片側の鼻孔に挿入し、洗浄液４が洩れないように左手の親指と人差し指で両鼻孔を摘まんで、ボトル２の胴を押し付け、注入・洗浄して、口から吐き出す鼻腔洗浄ボトルである。
【００１９】  先の丸いノズル３の先端を鼻孔に挿入する時、ノズル３の形状がアルファベッド「Ｊ」の字形のようにカーブしている為、ノズル３の先端は鼻腔深く入らず、そのカーブが鼻孔をやさしく押し付け、ストッパー代わりになるのが特徴である。
【００２０】  また、ノズル３の形状はアルファベッド「Ｊ」もしくは、ひらがな「し」の字形でもよく、ノズル３の先端が図４の使用時に、上方を向く形状である。
【符号の説明】
【００２１】１    ボトル
２    キャップ
３    ノズル
４    洗浄液
５    ボトル口
【図１】
0003199593.tif 000003
【図２】
0003199593.tif 000004
【図３】
0003199593.tif 000005
【図４】
0003199593.tif 000006